(57)【要約】【課題】吸着体を加熱する加熱手段を新たに設けることなく室内の加湿を行い、室内機の小型化を図り、加湿性能の向上を図る空気調和機の室内機を提供する。【解決手段】空気調和機の室内機１において、室内の空気が吸い込まれる吸込口４とこの吸込口４の下方で、吸込口４から吸い込まれた空気が室内に吹き出す吹出口６とが形成され、室内に設置される室内機本体３と、室内機本体３内に設置され、吸込口４から吸い込まれて吹出口６から吹き出す空気の流れを発生させる横流ファン８と、室内機本体３内に設置され、吸込口４から吸い込まれて吹出口６から吹き出す空気を加熱する熱交換器９と、横流ファン８と吹出口６との間の吹出し通路６ａ内における吹出口６の上方側であって横流ファン８により送風される吹出し空気の流れ方向内周側に位置し、横流ファン８により送風される熱交換器９で加熱された空気によって水分が脱離される吸着体１１と、を備える。【選択図】図１
2008122020.tif 000002
【特許請求の範囲】
【請求項１】
室内の空気が吸い込まれる吸込口とこの吸込口の下方で、この吸込口から吸い込まれた空気が室内に吹き出す吹出口とが形成され、室内に設置される室内機本体と、
前記室内機本体内に設置され、前記吸込口から吸い込まれて前記吹出口から吹き出す空気の流れを発生させる横流ファンと、
前記室内機本体内に設置され、前記吸込口から吸い込まれて前記吹出口から吹き出す空気を加熱する熱交換器と、
前記横流ファンと前記吹出口との間の吹出し通路内における前記吹出口の上方側であって前記横流ファンにより送風される吹出し空気の流れ方向内周側に位置し、前記横流ファンにより送風される前記熱交換器で加熱された空気によって水分が脱離される吸着体と、
を備えることを特徴とする空気調和機の室内機。
【請求項２】
前記室内機本体内に設置され、この室内機本体内に空気を吸い込み、吸い込んだ空気を室外に排気する室外排気用ファンを備え、
前記吸着体は、前記室内機本体の横幅方向に延びた長尺形状に形成され、前記横流ファン側に入口が開口し前記吹出口側に出口が開口する脱離用空気経路と、前記室外排気用ファンにより送風される空気が流れて空気中の水分が前記吸着体に吸着される吸着用空気経路とを備えていることを特徴とする請求項１記載の空気調和機の室内機。
【請求項３】
前記室内機本体内に設置され、この室内機本体内に空気を吸い込み、吸い込んだ空気を室外に排気する室外排気用ファンを備え、
前記吸着体は、前記室内機本体の横幅方向に延びた長尺形状に形成され、
前記吸着体を、前記横流ファンにより送風される加熱された空気の入口が前記横流ファン側に開口しこの加熱された空気の出口が前記吹出口側に開口する前記吹出し通路内の位置と、前記吹出し通路内から退避して前記室外排気用ファンにより送風される空気が流れて空気中の水分が前記吸着体に吸着される位置との間を移動させる移動手段を設けたことを特徴とする請求項１記載の空気調和機の室内機。
【請求項４】
前記横流ファンにより送風されて前記熱交換器で加熱された空気の流れ方向に沿った前記吸着体の上流側に、送風される空気を前記吸着体に向けて案内する風向板を設けたことを特徴とする請求項１または２に記載の空気調和機の室内機。
【請求項５】
加湿運転時以外は、前記吸着体への空気の流れを遮断する位置に前記風向板を回動させる手段を設けたことを特徴とする請求項４記載の空気調和機の室内機。
【発明の詳細な説明】
【技術分野】
【０００１】
本発明は、空気調和機の室内機に関し、特に、加湿機能などの被吸着物質の吸着、脱離機能を備えた空気調和機の室内機に関する。
【背景技術】
【０００２】
例えば、下記特許文献１、２に記載されているように、空気中の水分を吸着可能及び脱離可能な吸着体を用いて室内の加湿を行う空気調和機の室内機が知られている。
【０００３】
これらの室内機においては、加熱した空気を吸着体に送風することにより吸着体を加熱し、吸着体から水分を脱離させている。吸着体に送風する空気を加熱する手段として、ヒータが用いられている。
【特許文献１】特許第３１３２９４０号公報
【特許文献２】特許第３２５４３８１号公報
【発明の開示】
【発明が解決しようとする課題】
【０００４】
しかしながら、上述した空気調和機の室内機においては、以下の点について配慮がなされていない。
【０００５】
空気調和機の室内機は室内の壁面等に取付けられており、小型化の要望が高い。上述した空気調和機の室内機においては、吸着体を加熱して水分を脱離させる加熱手段としてヒータを用いているため、ヒータを設置するスペースを室内機内に確保する必要があり、室内機が大型化する原因となっている。
【０００６】
本発明は上記課題を解決するためになされたのもであり、その目的は、吸着体を加熱する加熱手段を新たに設けることなく室内の加湿を行い、室内機の小型化を図り、さらに、加湿性能の向上を図ることができる空気調和機の室内機を提供することである。
【課題を解決するための手段】
【０００７】
本発明の実施の形態に係る第１の特徴は、空気調和機の室内機において、室内の空気が吸い込まれる吸込口とこの吸込口の下方で、この吸込口から吸い込まれた空気が室内に吹き出す吹出口とが形成され、室内に設置される室内機本体と、前記室内機本体内に設置され、前記吸込口から吸い込まれて前記吹出口から吹き出す空気の流れを発生させる横流ファンと、前記室内機本体内に設置され、前記吸込口から吸い込まれて前記吹出口から吹き出す空気を加熱する熱交換器と、前記横流ファンと前記吹出口との間の吹出し通路内における前記吹出口の上方側であって前記横流ファンにより送風される吹出し空気の流れ方向内周側に位置し、前記横流ファンにより送風される前記熱交換器で加熱された空気によって水分が脱離される吸着体と、を備えることである。
【発明の効果】
【０００８】
本発明によれば、吸着体を加熱する加熱手段を新たに設けることなく室内の加湿を行うことができ、吸着体を備えた室内機の小型化を図ることができ、さらに、加湿性能の向上を図ることができる。
【発明を実施するための最良の形態】
【０００９】
以下、本発明の実施の形態を図面を用いて説明する。
【００１０】
（第１の実施の形態）
本発明の第１の実施の形態に係る空気調和機の室内機１は、図１に示すように室内と室外とを仕切る壁２の内側壁面に取付けられる室内機本体３を有し、室内機本体３の前面部と上面部とに複数の吸込口４が形成されている。室内機本体３の下部には、ルーバー５により開度を調整可能な吹出口６が形成されている。
【００１１】
室内機本体３内には、図１及び図２に示すようにエアフィルタ７と、横流ファン８と、熱交換器９と、室外排気用ファン１０と、吸着体１１と、制御器１２とが設置されている。
【００１２】
エアフィルタ７は、室内機本体３の前面部と上面部との吸込口４に対向する位置に配置され、メッシュ状に形成されている。吸込口４から吸い込まれる空気中に埃が含まれている場合、この空気がエアフィルタ７を通過する過程で埃がエアフィルタ７により捕集される。
【００１３】
熱交換器９は、室外に設置されている室外機（図示せず）内に設けられている室外熱交換器等に２本の冷媒配管１３、１４によって接続され、内部に冷媒が流れ、冷房運転状態と暖房運転状態とに切替可能に設けられている。熱交換器９は、冷房運転時には低温となって熱交換器９を通過する空気を冷却し、暖房運転時には高温となって熱交換器９を通過する空気を加熱する。
【００１４】
室外排気用ファン１０は、室外に連通する排気用パイプ１５内に設置され、室外排気用ファン１０にはこの室外排気用ファン１０を回転駆動させるモータ１６が連結されている。排気用パイプ１５は、吸着体１１を介して室外に連通する吸気用パイプ１７に接続され、これらの排気用パイプ１５の一端と吸気用パイプ１７の一端とは壁２を貫通して室外に開口している。室外排気用ファン１０が駆動されることにより、室外の空気が吸気用パイプ１７から吸い込まれ、吸い込まれた空気が図２、図３及び図５の矢印ａで示す方向に流れ、吸着体１１の後述する第１空気経路３０ａ、３０ｂ内を送風され、第１空気経路３０ａ、３０ｂ内を送風された後に排気用パイプ１５内を通って室外に排気される。なお、吸気用パイプ１７と排気用パイプ１５と２本の冷媒配管１３、１４とは、壁２に設けられた１つの孔２ａを共通に用いて室外に貫通されている。この孔２ａは、室内機本体３の背面側であって室内側からは見えない位置に設けられ、見栄えを良くしている。
【００１５】
横流ファン８は、長尺円筒形状に形成された貫流送風機であり、室内機本体３内の長手方向に設置され、吸着体１１の長手方向と平行に位置している。すなわち、室内機１が壁２に取付けられた場合、室内機本体３内に設置された横流ファン８は、横流ファン８の長手方向が壁２と平行であって水平な方向に向けられている。横流ファン８には、この横流ファン８を回転駆動させるモータ１８が連結されている。横流ファン８が駆動されることにより、室内の空気が吸込口４から室内機本体３内に吸い込まれ、吸い込まれた空気が熱交換器９を通過することにより加熱され又は冷却され、加熱された温風又は冷却された冷風となって吹出口６から室内に吹き出す。
【００１６】
吸着体１１は、図３ないし図５に示すように、円筒状の吸着板ユニット１９とこの吸着板ユニット１９を保持する保持体２０とにより形成されている。
【００１７】
吸着板ユニット１９は、外形が長尺円筒形状をなし、断面形状がＹ字形状に形成された長尺状の仕切体２１、水分や吸着可能及び脱離可能な複数枚の吸着板２２及びリング状枠２３を有している。吸着板２２は、紙などを素材とする基板の表面にゼオライト等の吸着材粒子を塗布することにより形成されている。吸着材は、低温（室温）で水分を吸着し、高温になると吸着した水分を脱離する。吸着板２２は、長尺の板状部材を一方の面が凸状となって他方の面が凹状となる向きに湾曲させて形成され、凸状側を仕切体２１の中心側に向けて配置されている。このような湾曲形状とすることで吸着板２２の面積をかせぎ、吸着量を増加させている。複数枚の吸着板２２は、仕切体２１により仕切られた３つの領域内にそれぞれ同じように配置されている。これらの吸着板２２は、面と面とを対向させてそれらの面と面との間に送風可能な隙間をもって連結されている。なお、仕切体２１は、吸着板２２群をほぼ均等に３分割するように設けられる。
【００１８】
複数枚の吸着板２２の連結は、吸着板２２の長手方向の両端をリング状枠２３で固定することにより行われている。リング状枠２３は、Ｙ字形状の仕切体２１の３つの頂点部に固定されている。仕切体２１の中心線上の両端部には、吸着板２２の長手方向に沿って吸着板２２から離反する方向である外側向きに延びた回転軸２４が固定されている。
【００１９】
保持体２０は、筒状に形成されており、内径寸法が吸着板ユニット１９の外径寸法よりもわずかに大きく形成されている。保持体２０は、その内部に吸着板ユニット１９を回転軸２４を中心として回転可能に保持する。保持体２０内への吸着板ユニット１９の組み込みは、保持体２０を長手方向に沿って２分割構造とすることにより、又は、後述する第１カバー部２５と一方の第２カバー部２６との間を分割構造とすることにより行うことができる。
【００２０】
保持体２０は、保持する吸着板ユニット１９における一部の吸着板２２の長手方向に沿った方向の外周部を気密に覆う第１カバー部２５と、保持する吸着板ユニット１９における他の一部の吸着板２２の長手方向の両端部を気密に覆う一対の第２カバー部２６とを有している。第１カバー部２５は、吸着板ユニット１９の周方向の約２４０°の範囲を覆う形に形成されている。第２カバー部２６には、回転軸２４が回転可能に軸支される支持穴２７が形成されている。第２カバー部２６は、仕切体２１により仕切られる１つの領域内に配置される吸着板２２の長手方向の端部を覆うよう支持穴２７を中心として約１２０°の角度に広がる扇形に形成されている。なお、第１カバー部２５が覆う約２４０°の範囲と第２カバー部２６の覆う約１２０°の範囲は周方向において丁度反対となるように配置されている。
【００２１】
吸着板ユニット１９の回転軸２４には、吸着板ユニット１９を回転軸２４の中心線回りに回転駆動させるモータ２８が複数のギアを噛み合わせた減速機構２９を介して連結されている。
【００２２】
吸着体１１には、図３及び図５に示すように、空気が送風可能な第１空気経路３０ａ、３０ｂと第２空気経路３１とが形成されている。第１空気経路３０ａ、３０ｂは、第１カバー部２５と一部の吸着板２２とに囲まれて吸着板２２の長手方向に沿って形成され、室外排気用ファン１０が駆動された場合に送風される空気が流れ、空気中の水分が吸着板２２に吸着される吸着用空気経路である。この空気通路の入口及び出口は、左右の第２カバー部２６に設けられた約２４０°の範囲の開口である。第２空気経路３１は、一対の第２カバー部２６と他の一部の吸着板２２とに囲まれて吸着板２２の長手方向と直交する方向に形成され、横流ファン８が駆動された場合に送風されて熱交換器９で加熱された空気が流れ、吸着板２２から水分が脱離される脱離用空気経路である。第２空気経路３１の空気の流れを図１、図３及び図５中に矢印ｂで示している。なお、第１空気経路３０ａ、３０ｂの入口３０Ａ側に吸気用パイプ１７が接続され、第１空気経路３０ａ、３０ｂの出口３０Ｂ側に排気用パイプ１５が接続されている。
【００２３】
室内機本体３内における吸着体１１の設置位置は、横流ファン８と吹出口６との間の吹出し通路６ａ内における吹出口６の上方側であって、横流ファン８により送風される空気の流れ方向内周側であるノーズ３２側とされている。ノーズ３２は、横流ファン８の回転に伴って吹出口６から吹き出す空気の流れを発生させるために形成されている凸状構造部であり、横流ファン８の外周に近接する位置に突出している。
【００２４】
また、室内機本体３内における吸着体１１の設置向きは、第２空気経路３１の出口が吹出口６に対向する向きとされ、第１カバー部２５の約１２０°の開口が吹出し通路６ａに面するように配置されている。
【００２５】
室内機本体３内には、横流ファン８により送風されて熱交換器９で加熱された空気の流れ方向に沿った吸着体１１の上流側に位置し、加熱されて送風される空気を第２空気経路３１に向けて案内する風向板３３が設けられている。風向板３３はダンパーとして機能するもので、この風向板３３を回動させる手段としてモータ３４が連結されている。風向板３３は、加湿運転時には横流ファン８により送風される空気の流れを第２空気経路３１の方向に向かわせる位置に回動され、加湿運転時以外は第２空気経路３１への空気の流れを遮断する位置に回動される。
【００２６】
制御器１２は、プログラムされたマイコン及びその周辺機器からなる。制御器１２は、室内機本体３内に収納され、室内機本体３内の制御対象物の制御を行う。制御器１２には、図６に示すように、吸着体１１の吸着板ユニット１９を回転駆動させるモータ２８と、室外排気用ファン１０を回転駆動させるモータ１６と、横流ファン８を回転駆動させるモータ１８と、風向板３３を回動させるモータ３４と、室外機に設けられる圧縮機３５を回転駆動させるモータ３６とが接続されている。さらに、制御器１２には、熱交換器９の温度を検知する温度センサ３７と、空気調和機の運転状態を操作するリモコン３８からの赤外線信号を受光する受光部３９等が接続されている。
【００２７】
空気調和機の運転制御について、図７のフローチャートに基づいて説明する。制御器１２は、リモコン３８からの信号の入力の有無を監視している（Ｓ１）。リモコン３８から信号の入力が有った場合は（Ｓ１のＹＥＳ）、その信号が暖房運転の開始信号であるか否かが判断され（Ｓ２）、及び、加湿運転の開始信号が有ったか否かが判断される（Ｓ３）。
【００２８】
入力された信号が暖房運転の開始信号でない場合は（Ｓ２のＮＯ）、入力された暖房運転以外のモードによる運転制御が行われる（Ｓ４）。また、暖房運転の開始信号が入力されたが（Ｓ２のＹＥＳ）、加湿運転の開始信号は入力されない場合は（Ｓ３のＮＯ）、加湿運転を伴わない通常暖房の運転制御が行われる（Ｓ５）。
【００２９】
暖房運転の開始信号が入力され（Ｓ２のＹＥＳ）、かつ、加湿運転の開始信号が入力された場合は（Ｓ３のＹＥＳ）、加湿運転が実行される。
【００３０】
加湿運転が実行された場合には、制御器１２に内蔵されているタイマのカウントがスタートされ（Ｓ６）、熱交換器９の温度を測定する温度センサ３７の値が読込まれる（Ｓ７）。そして、温度センサ３７の測定値に基づいて、温度センサ３７の値が加湿運転に適した目標値まで上昇するように圧縮機駆動用のモータ３６の運転周波数が制御される（Ｓ８）。これにより、吹出口６から吹き出す温風の温度が、吸着体１１を使用した加湿用に適した温度に上昇し、維持される。
【００３１】
さらに、風向板３３が、横流ファン８により送風される温風の一部を吸着体１１の第２空気経路３１に向けて案内する位置に回動され（Ｓ９）、横流ファン８が駆動され（Ｓ１０）、室外排気用ファン１０が駆動される（Ｓ１１）。
【００３２】
ここで、ステップＳ１１において室外排気用ファン１０が駆動されることにより、室外の空気が吸気用パイプ１７を通って室内機本体３内に吸い込まれ、吸い込まれた空気が吸着体１１の第１空気経路３０ａ、３０ｂ内を送風され、第１空気経路３０ａ、３０ｂ内を送風された後に排気用パイプ１５内を通って室外に排気される。この際、送風される空気が第１空気経路３０ａ、３０ｂ内の吸着板２２に当たることにより、室外の空気中に含まれている水分が第１空気経路３０ａ、３０ｂ内の吸着板２２に吸着される。
【００３３】
また、ステップＳ１０において横流ファン８が駆動されることにより、室内の空気が吸込口４から室内機本体３内に吸い込まれ、吸い込まれた空気が熱交換器９により加熱され、温風となって吹出口６から室内に吹き出し、暖房運転が行われる。
【００３４】
さらに、ステップＳ９において風向板３３が吸着体１１の第２空気経路３１側への案内位置へ回動することにより、熱交換器９により加熱されて吹出口６側へ送風される温風の一部が吸着体１１の第２空気経路３１側へ案内され、この空気が第２空気経路３１内を送風され、第２空気経路３１内を送風された後に吹出口６から室内に吹き出す。この過程において、加熱された空気が第２空気経路３１内の吸着板２２に当たり、吸着板２２から水分が脱離される。吸着板２２から脱離された水分は、横流ファン８の駆動により吹出口６から吹き出す温風に含まれて室内に放出され、室内が加湿される。
【００３５】
その後、タイマのカウント時間“Ｔ”が、吸着板２２に対する水分の吸着及び吸着板２２からの水分の脱離を行うために予め設定されている設定時間を経過したか否かが判断され（Ｓ１２）、さらに、加湿運転の終了信号が入力されたか否かが判断される（Ｓ１３）。
【００３６】
加湿運転の終了信号が入力される前に（Ｓ１３のＮＯ）、タイマのカウント時間“Ｔ”が設定時間を経過した場合には（Ｓ１２のＹＥＳ）、モータ２８が駆動されて吸着板ユニット１９が１２０°回転され（Ｓ１４）、タイマがリセットされ及び再スタートされる（Ｓ１５）。
【００３７】
ステップＳ１４において吸着板ユニット１９が約１２０°回転されることにより、回転後は、Ｙ字形状の仕切体２１のいずれか２つの頂部が第１カバー部２５の開口端部に位置することになる。そのため、回転前に第２空気経路３１内に位置していた吸着板２２が第１空気経路３０ａ内に移動し、回転前に第１空気経路３０ａ内に位置していた吸着板２２が第１空気経路３０ｂ内に移動し、回転前に第１空気経路３０ｂ内に位置していた吸着板２２が第２空気経路３１内に移動する。これが設定時間ごとに繰り返され、吸着板ユニット１９は、設定時間ごとに約１２０°ずつ同じ方向に回転する。
【００３８】
第１空気経路３０ｂ内から第２空気経路３１内に移動した吸着板２２に対しては、横流ファン８の駆動により送風される空気であって熱交換器９により加熱された空気が当たり、第２空気経路３１内に移動した吸着板２２から水分が脱離される。吸着板２２から脱離された水分は、横流ファン８の駆動により吹出口６から吹き出す温風に含まれて室内に放出され、室内が加湿される。
【００３９】
一方、第１空気経路３０ａ内から第１空気経路３０ｂ内に移動した吸着板２２及び第２空気経路３１内から第１空気経路３０ａ内に移動した吸着板２２に対しては、室外排気用ファン１０の駆動により吸気用パイプ１７内を通って室外から吸い込まれた空気が当たり、第１空気経路３０ａ、３０ｂ内に移動した吸着板２２に対して水分の吸着が行われる。
【００４０】
したがって、この実施の形態のように、３つの空気経路３０ａ、３０ｂ、３１を設け、そのうちの２つを水分の吸着用として用い、残りの１つを水分の脱離用として用いることにより、吸着板２２に対して水分を吸着させる時間を長く設定することができる。すなわち、一般に、吸着材は、吸着に要する時間が脱離に要する時間よりも長い。そこで、本実施の形態では吸着板２２を３つのグループ分けにして、そのうちの１つを脱離用に用いて残り２つを吸着用に用いることで、吸着時間を脱離時間の２倍に設定することができる。それにより、吸着板２２に吸着される水分の量を増やすことができ、吸着板２２から脱離される水分量を増やして加湿性能を高めることができる。
【００４１】
加湿運転の終了信号が入力された場合は（Ｓ１３のＹＥＳ）、タイマがリセットされ（Ｓ１６）、室外排気用ファン１０の駆動が停止され（Ｓ１７）、風向板３３が吸着体１１の第２空気経路３１側への送風を遮断する位置へ回動され（Ｓ１８）、通常暖房の運転制御が開始される（Ｓ５）。
【００４２】
このような構成において、横流ファン８により送風され、熱交換器９により加熱された空気の一部は、図１、図３及び図５において矢印ｂで示す方向に流れて第２空気経路３１内を送風され、吸着体１１の吸着板２２から水分を脱離させる。このため、吸着体１１から水分を脱離させるために吸着体１１を加熱する新たな加熱手段を設ける必要がなく、加湿機構を追加した室内機１でありながらその室内機１の小型化を図ることができる。
【００４３】
室内機本体３内における吸着体１１の設置位置は、横流ファン８と吹出口６との間の吹出し通路６ａ内における吹出口６内の上方側であって、横流ファン８により送風される空気の流れ方向内周側とされ、第２空気経路３１の出口が吹出口６に対向している。吹出し通路６ａ内における吹出口６の上方側の位置は、横流ファン８の特性上吹き出す温風の温度が高い。しかも、横流ファン８により送風される空気の流れ方向内周側は、横流ファン８により送風される風量が少ない場合でも、風量が最も多くなる箇所である。このような箇所に吸着体１１を設置することにより、横流ファン８により送風される温風（熱交換器９で加熱された空気）を利用した吸着体１１からの水分の脱離を効率良く行うことができ、加湿性能を高めることができる。
【００４４】
さらに、第２空気経路３１は、この第２空気経路３１の出口が吹出口６に対向する向きに設けられているため、第２空気経路３１内の吸着板２２から脱離された水分を直接室内に放出することができ、効率良く室内の加湿を行うことができる。
【００４５】
また、横流ファン８により送風されて熱交換器９で加熱された空気の流れ方向に沿った吸着体１１の上流側に、熱交換器９で加熱された空気を第２空気経路３１に向けて案内する風向板３３が設けられているため、熱交換器９で加熱された空気を確実に第２空気経路３１に導くことができる。このため、熱交換器９で加熱された空気を第２空気経路３１に送風することによる水分の脱離を効率良く行うことができる。
【００４６】
しかも、この風向板３３は、横流ファン８により送風される空気（熱交換器９で加熱された空気）の流れに対する角度を調節可能に設けられている。このため、加湿量を増やす場合には、第２空気経路３１に導く風量を増加させる向きに風向板３３を回動させ、吸着板２２から脱離される水分量を増やすことができ、室内の加湿量を調整することができる。
【００４７】
風向板３３は、加湿運転時以外は、第２空気経路３１への空気の流れを遮断する位置に回動される。このため、第２空気経路３１内への汚れの付着や、冷房運転時における結露を防止することができ、汚れの付着や結露が原因となる吸着体１１の機能低下を抑制することができる。
【００４８】
なお、吸着板ユニット１９を回転させるにあたり、空気経路３０ａ、３０ｂ、３１を確保するためには、仕切体２１の頂部と保持体２０の第１カバー部２５の開口端部との位置を正確に一致させる必要がある。このため、単なるモータ２８の回転角度制御ではなく、何等かの回転角センサまたは位置検知センサを設け、このセンサ出力に基づき回転角を制御することが好ましい。
【００４９】
（第２の実施の形態）
本発明の第２の実施の形態に係る空気調和機の室内機１Ａについて、図８に基づいて説明する。なお、第２の実施の形態及びこれ以降の実施の形態において、先行して説明した他の実施の形態の構成要素と同じ構成要素には同じ符号を付け、重複する説明は省略する。
【００５０】
この室内機１Ａは、第１の実施の形態で説明した室内機１から吸気用パイプ１７をなくしたもので、室外から吸引する空気の代わりに室内の空気を吸着体１１の第１空気経路３０ａ、３０ｂ内に送風するものである。この変更部分以外は、第１の実施の形態と同一であるため、その説明を省略し、以下、変更部分を重点的に説明する。
【００５１】
室内機本体３Ａの右側面には、室内空気を吸込む第２吸込口４１が設けられ、この第２吸込口４１は、第１空気経路３０ａ、３０ｂの入口３０Ａに直線状のダクト４２を介して連通している。このため、室外排気用ファン１０が回転駆動されることにより、室内の空気が第２吸込口４１からダクト４２を介して室内機本体３Ａ内に吸い込まれ、吸い込まれた空気が、第１空気経路３０ａ、３０ｂ内を送風されて出口３０Ｂから排気用パイプ１５内に入り、排気用パイプ１５内を通って室外に排気される。
【００５２】
この際、室内空気が第１空気経路３０ａ、３０ｂ内の吸着板２２に当たることにより、室内の空気中に含まれている水分が第１空気経路３０ａ、３０ｂ内の吸着板２２に吸着され、排気用パイプ１５からは水分が減少した乾燥空気が室外に排気される。この結果、室内の水分は吸着板２２に保持され、この吸着板２２が、第２空気経路３１内に回転移動したところで横流ファン８により送風されて熱交換器９を通過して加熱された空気によって吸着板２２に吸着されていた水分が脱離され、室内に戻される。この間、室外排気用ファン１０による排気によって室内の空気が減少した分だけ部屋の隙間からその時の外気の湿度分だけの水分を含んだ外部の空気が流入しているため、結果的に室内の湿度は上昇する。
【００５３】
このような構成において、この第２の実施の形態によれば、壁２を貫通して室外へ延び出すパイプが排気用パイプ１５のみとなるため、壁２の孔２ａが小さくて済む。また、第２吸込口４１を、室内機本体３Ａにおける室外排気用ファン１０と反対側の側面であって第１空気経路３０ａ、３０ｂの入口３０Ａ側に形成し、かつ、第２吸込口４１と第１空気経路３０ａ、３０ｂとを直線状のダクト４２で連結したため、ダクト４２の長さを短くすることができ、送風抵抗が小さくなる。すなわち、第２吸込口４１、ダクト４２、吸着体１１をほぼ直線状に配置して、送風経路を短くしたため、室外排気用ファン１０による風量が大きくなり、吸着時間を短縮することができる。さらに、室外排気用ファン１０による送風は室内空気を室外に排気することになり、加湿運転の運転／停止にかかわらず室外排気用ファン１０を運転することで換気が可能となる等種々の効果がある。
【００５４】
（第３の実施の形態）
本発明の第３の実施の形態に係る空気調和機の室内機１Ｂについて、図９ないし図１２に基づいて説明する。
【００５５】
この室内機１Ｂは、第１の実施の形態で説明した室内機１で使用した吸着体１１に代えて、吸着体５１を用いたものである。この変更部分以外は、第１の実施の形態と同一であるため、その説明を省略し、以下、変更部分を重点的に説明する。
【００５６】
吸着体５１は、図１２に示すように、吸着板ユニット５２と保持体５３とにより形成されている。
【００５７】
吸着板ユニット５２は、長尺の板状（長方形状）に形成されて水分を吸着可能及び脱離可能な複数枚の吸着板５４を有し、これらの吸着板５４が面と面とを対向させてそれらの面と面との間に送風可能な隙間をもって連結されている。
【００５８】
複数枚の吸着板５４の連結は、吸着板５４の長手方向の両端をリング状枠５５で固定することにより行われ、吸着板ユニット５２の外形形状は円柱状とされている。
【００５９】
リング状枠５５には、吸着板５４と平行に伸び、リング状枠５５の直径方向に固定された仕切板５６が設けられている。仕切板５６の側面中央部には、吸着板５４の長手方向に沿って吸着板５４から離反する方向である外側向きに延びた回転軸５７が固定されている。仕切板５６は、吸着板５４と同様にリング状枠５５の一端から他端にわたり、複数枚の吸着板５４を２つのグループに２分割すると共に、吸着板ユニット５２の補強を兼ねている。
【００６０】
保持体５３は、吸着板ユニット５２を回転軸５７の中心線回りに回転可能に保持している。保持体５３は、保持する吸着板ユニット５２における仕切板５６に仕切られた片側の吸着板５４の長手方向に沿った方向の外周部を気密に覆う第１カバー部５８と、保持する吸着板ユニット５２における仕切板５６に仕切られた他の片側の吸着板５４の長手方向の両端部を気密に覆う一対の第２カバー部５９とを有している。第１カバー部５８は、吸着板ユニット５２の周方向の約１８０°の範囲を覆う半円筒形に形成されている。第２カバー部５９は、半円形に形成されている。第２カバー部５９には、回転軸５７が回転可能に軸支される支持穴６０が形成されている。
【００６１】
吸着体５１には、図１１に示すように、空気が送風可能な吸着用空気経路である第１空気経路６１と脱離用空気経路である第２空気経路６２とが形成されている。第１空気経路６１は、第１カバー部５８と一部の吸着板５４とに囲まれて吸着板５４の長手方向に沿って形成され、室外排気用ファン１０が駆動された場合に矢印ａ方向に空気が流れ、空気中の水分が吸着板５４に吸着される。第２空気経路６２は、一対の第２カバー部５９と他の一部の吸着板５４とに囲まれて形成され、横流ファン８が駆動された場合に送風されて熱交換器９で加熱された空気の一部が矢印ｂ方向に流れ、吸着板５４から水分が脱離される。なお、第１空気経路６１の入口６１Ａ側には吸気用パイプ１７が接続され、第１空気経路６１の出口６１Ｂ側には排気用パイプ１５が接続されている。また、第１空気経路６１と第２空気経路６２との間に仕切板５６が位置するようにし、空気が第１空気経路６１と第２空気経路６２との間を行き来することがないようにしている。
【００６２】
室内機本体３Ｂ内における吸着体５１の設置位置は、横流ファン８と吹出口６との間の吹出し通路６ａ内における吹出口６の上方側であって、横流ファン８により送風される空気の流れ方向内周側であるノーズ３２側とされている。
【００６３】
また、室内機本体３Ｂ内における吸着体５１の設置向きは、第２空気経路６２の出口が吹出口６に対向する向きとされている。
【００６４】
室内機本体３Ｂ内には、横流ファン８により送風されて熱交換器９で加熱された空気の流れ方向に沿った吸着体５１の上流側に位置し、熱交換器９で加熱された空気を第２空気経路６２に向けて案内する風向板３３が設けられている。
【００６５】
このような構成において、加湿運転時には、室外排気用ファン１０の駆動により送風される空気が矢印ａ方向に流れ、第１空気経路６１内の吸着板５４に水分が吸着される。一方、横流ファン８の駆動により送風される温風の一部が矢印ｂ方向に流れ、第２空気経路６２内の吸着板５４から水分が脱離され、脱離された水分が吹出口６から室内に放出される。
【００６６】
加湿運転中は、吸着板ユニット５２が設定時間毎に１８０°ずつ回転され、吸着板５４が第１空気経路６１内と第２空気経路６２内とに交互に位置するようになり、吸着板５４への水分の吸着と、吸着した水分の脱離とが繰り返される。
【００６７】
吸着板５４からの水分の脱離に際しては、横流ファン８により送風され、熱交換器９により加熱された空気の一部が、図９及び図１１において矢印ｂで示す方向に吸着体５１の第２空気経路６２内を送風される。このため、吸着体５１から水分を脱離させるために吸着体５１を加熱する新たな加熱手段を設ける必要がなく、加湿機構を追加した室内機１Ｂでありながらその室内機１Ｂの小型化を図ることができる。
【００６８】
室内機本体３Ｂ内における吸着体５１の設置位置は、横流ファン８と吹出口６との間の吹出し通路６ａ内における吹出口６内の上方側であって、横流ファン８により送風される空気の流れ方向内周側とされている。吹出し通路６ａ内における吹出口６の上方側の位置は、横流ファン８の特性上吹き出す温風の温度が高い。しかも、横流ファン８により送風される空気の流れ方向内周側は、横流ファン８により送風される風量が少ない場合でも、風量が最も多くなる箇所である。このような箇所に吸着体５１を設置することにより、横流ファン８により送風される温風（熱交換器９で加熱された空気）を利用した吸着体５１からの水分の脱離を効率良く行うことができ、加湿性能を高めることができる。
【００６９】
さらに、第２空気経路６２は、この第２空気経路６２の出口が吹出口６に対向する向きに設けられているため、第２空気経路６２内の吸着板５４から脱離された水分を直接室内に放出することができ、効率良く室内の加湿を行うことができる。
【００７０】
（第４の実施の形態）
本発明の第４の実施の形態に係る空気調和機の室内機１Ｃについて、図１３及び図１４に基づいて説明する。
【００７１】
この室内機１Ｃは、第１の実施の形態で説明した室内機１で使用した吸着体１１に代えて、吸着体７１を用いたものである。この変更部分以外は、第１の実施の形態と同一であるため、その説明を省略し、以下、変更部分を重点的に説明する。
【００７２】
吸着体７１は、図１４に示すように、紙などを素材とする長方形状の基材の表面にゼオライト等の吸着材粒子を塗布することにより形成された複数枚の吸着板７２と、これらの吸着板７２の両端を支持する支持枠７３とにより直方体形状に形成されている。吸着板７２は長尺状に形成され、隣合う吸着板７２が隙間をもって配置されている。両端の支持枠７３の中央部分はともに空気が流通可能な開口となっている。
【００７３】
室内機１Ｃには、室内機本体３Ｃの外側板と熱交換器９の下端側との間に位置し、吸着体７１をスライド可能に収容する収容部７４が形成されている。収容部７４は、横流ファン８の回転軸と平行な横長形状に形成されている。吸着体７１は、吸着体７１の長手方向と横流ファン８の回転軸とが平行となる向きに収容部７４に収容されている。収容部７４の長手方向の一端側には吸気用パイプ１７が接続され、収容部７４の長手方向の他端側には排気用パイプ１５が接続されている。
【００７４】
収容部７４にスライド可能に収容された吸着体７１は、実線で示す収容部７４に収容される位置（吹出し通路６ａ内から退避する位置）と、二点鎖線で示す収容部７４から露出して吹出し通路６ａ内に位置する位置とにスライド可能に設けられている。吸着体７１が実線で示す退避位置に位置する場合、隣合う吸着板７２の間が、室外排気用ファン１０の駆動により送風される空気が流れる第１空気経路（吸着用空気経路）７５となる。図１４において、矢印ａ方向が第１空気経路７５を送風される空気の方向である。吸着体７１が二点鎖線で示す露出位置に位置する場合、隣合う吸着板７２の間が、横流ファン８の駆動により送風されて熱交換器９で加熱された空気が流れる第２空気経路（脱離用空気経路）７６となる。図１４において、矢印ｂ方向が第２空気経路７６を送風される空気の方向である。
【００７５】
吸着体７１が二点鎖線で示す露出位置に位置する場合、この吸着体７１は、吹出し通路６ａ内における吹出口６の上方側であって、横流ファン８により送風される空気の流れ方向内周側であるノーズ３２側に位置する。さらに、二点鎖線で示す露出位置に位置する吸着体７１は、第２空気経路７６の入口が横流ファン８側に開口し、第２空気経路７６の出口が吹出口６側に開口している。
【００７６】
また、吸着体７１が二点鎖線で示す露出位置に位置する場合における吸着体７１の向きは、第２空気経路７６の入口が横流ファン８側に開口し、第２空気経路７６の出口が吹出口６側に対向する向きとされている。
【００７７】
吸着体７１を実線で示す収納位置と二点鎖線で示す露出位置とに移動させる移動手段として、吸着体７１に設けられて収容部７４から露出して位置するラック７７と、ラック７７に噛み合うピニオン７８と、ピニオン７８を回転駆動させるモータ７９とが設けられている。
【００７８】
このような構成において、横流ファン８と熱交換器９とを駆動させている暖房運転時において、加湿運転を行う場合について説明する。
【００７９】
まず、吸着体７１を実線で示す収容位置に位置させ、室外排気用ファン１０を駆動させる。これにより、室外の空気が吸気用パイプ１７内を通って室内機本体３Ｃ内に吸い込まれ、収容部７４に収容されている吸着体７１の第１空気経路７５内に送風され、第１空気経路７５内を送風された後に排気用パイプ１５内を通って室外に排気される。この過程において、第１空気経路７５を送風される吸着板７２に当たり、空気中の水分が吸着板７２に吸着される。
【００８０】
室外排気用ファン１０を設定時間駆動させた後、室外排気用ファン１０の駆動を停止させ、及び、モータ７９を駆動させて吸着体７１を二点鎖線で示す露出位置にスライドさせる。これにより、横流ファン８の駆動により吸込口４から吸い込まれ、熱交換器９により加熱されて吹出口６から室内に吹き出す温風の一部が、吸着体７１の第２空気経路７６内を送風される。この過程において、熱交換器９により加熱された空気が吸着板７２に当たり、吸着板７２から水分が脱離され、脱離された水分が吹出口６から吹き出す温風に含まれて室内に放出され、室内が加湿される。
【００８１】
吸着体７１が二点鎖線で示す位置にスライドした後に設定時間が経過した場合には、モータ７９の駆動により吸着体７１が再び実線で示す収納位置にスライドし、及び、室外排気用ファン１０が再び駆動されて吸着板７２に対して水分の吸着が行われる。
【００８２】
このようにして、収納位置と露出位置とへの吸着体７１のスライドと、室外排気用ファン１０のオン・オフとを繰り返すことにより、室内の加湿が行われる。
【００８３】
二点鎖線で示す露出位置にスライドした場合の吸着体７１の位置は、吹出し通路６ａ内における吹出口６の上方側であって、横流ファン８により送風される空気の流れ方向内周側とされている。吹出し通路６ａ内における吹出口６の上方側の位置は、横流ファン８の特性上吹き出す温風の温度が高い。しかも、横流ファン８により送風される空気の流れ方向内周側は、横流ファン８により送風される風量が少ない場合でも、風量が最も多くなる箇所である。このような箇所に吸着体７１を位置させることにより、横流ファン８により送風される温風（熱交換器９で加熱された空気）を利用した吸着体７１からの水分の脱離を効率良く行うことができ、加湿性能を高めることができる。
【００８４】
吸着体７１が二点鎖線で示す露出位置に位置する場合における吸着体７１の向きは、第２空気経路７６の出口が吹出口６に対向する向きとされているため、空気が第２空気経路７６を送風される場合に吸着板７２から脱離された水分を直接室内に放出することができ、効率良く室内の加湿を行うことができる。
【００８５】
なお、本実施の形態においても、第２の実施の形態のように室外排気用ファン１０の吸込み空気を室外ではなく、室内空気としてもよい。
【図面の簡単な説明】
【００８６】
【図１】本発明の第１の実施の形態に係る空気調和機の室内機を示す縦断側面図である。
【図２】その水平断面図である。
【図３】吸着体を示す斜視図である。
【図４】その吸着体を示す分解斜視図である。
【図５】その吸着体を示す側面図である。
【図６】空気調和機の室内機の電気的接続構造を示すブロック図である。
【図７】空気調和機の運転制御について説明するフローチャートである。
【図８】本発明の第２の実施の形態に係る空気調和機の室内機を示す水平断面図である。
【図９】本発明の第３の実施の形態に係る空気調和機の室内機を示す縦断側面図である。
【図１０】その水平断面図である。
【図１１】吸着体を示す斜視図である。
【図１２】その分解斜視図である。
【図１３】本発明の第４の実施の形態に係る空気調和機の室内機を示す縦断側面図である。
【図１４】吸着体を示す斜視図である。
【符号の説明】
【００８７】
３、３Ａ、３Ｂ、３Ｃ…室内機本体、４…吸込口、６…吹出口、６ａ…吹出し通路、８…横流ファン、９…熱交換器、１０…室外排気用ファン、１１…吸着体、３０ａ、３０ｂ…吸着用空気経路、３１…脱離用空気経路、３３…風向板、５１…吸着体、６１…吸着用空気経路、６２…脱離用空気経路、７１…吸着体、７５…吸着用空気経路、７６…脱離用空気経路
【図１】
2008122020.tif 000003
【図２】
2008122020.tif 000004
【図３】
2008122020.tif 000005
【図４】
2008122020.tif 000006
【図５】
2008122020.tif 000007
【図６】
2008122020.tif 000008
【図７】
2008122020.tif 000009
【図８】
2008122020.tif 000010
【図９】
2008122020.tif 000011
【図１０】
2008122020.tif 000012
【図１１】
2008122020.tif 000013
【図１２】
2008122020.tif 000014
【図１３】
2008122020.tif 000015
【図１４】
2008122020.tif 000016